(57)【要約】      （修正有）【課題】開傘及び閉傘がスムーズであるとともに、傘布に引っかき傷がつく心配のない、折り畳み傘の傘骨構造を提供する。【解決手段】受骨１０と、元親骨２０と、先親骨３０と、補助骨４０と、第一引線５０と、第二引線６０とからなる。元親骨２０の一端は第一接合部２１によって受骨１０と枢接され、他端は第二接合部２２によって先親骨３０と枢接される。また、Ｕ字型の元親骨２０の溝内には、一端が受骨１０に接続され且つ他端が先親骨３０の枢接ヘッド３１に枢接された第二引線６０が設けられる。さらに、元親骨２０における第二接合部２２の枢接部２２１近くにはピンロッド７０が設けられ、先親骨３０における枢接ヘッド３１の末端枢接部３１２近くには長凹溝３１３が形成され、末端枢接部３１２は丸凸状に形成されるとともに元親骨２０との枢接部３１１が長溝孔を形成する。【選択図】図２
0003185575.tif 000002
【実用新案登録請求の範囲】
【請求項１】
受骨と、元親骨と、先親骨と、補助骨と、第一引線と、第二引線とからなる、折り畳み傘の傘骨構造であって、
前記受骨は、Ｕ字型の金属棒体をなすとともに、その一端は傘のロクロと枢接され、その他端は元親骨と枢接され、
前記元親骨は、Ｕ字型の金属棒体をなすとともに、その一端には枢接部及び末端枢接部が設けられた第一接合部が形成され、且つ枢接部によって受骨と枢接され、その他端には枢接部及び支え部が設けられた第二接合部が形成され、その棒体における中央部近くには支え部が設けられ、
前記先親骨は、丸型の棒体をなすとともに、その一端には長溝孔状の枢接部及び丸頭状の末端枢接部が設けられた枢接ヘッドが形成され、且つ長溝孔状の枢接部によって、元親骨における第二接合部の枢接部と枢接され、
前記補助骨は、Ｕ字型の金属棒体をなすとともに、その一端は傘の上ロクロに枢接され、その他端は受骨の中央部に枢接され、その受骨との枢接位置の近くには枢接部が設けられ、
前記第一引線は、細い丸型の金属棒体をなすとともに、その一端は補助骨の枢接部に枢接され、その他端は元親骨における第一接合部の末端枢接部に枢接され、
前記第二引線は、細い丸型の金属棒体をなすとともに、その一端は受骨における元親骨との枢接位置の近くに枢接され、その他端は元親骨及び第二接合部の支え部を通った後に先親骨における枢接ヘッドの末端枢接部に枢接され、
前記元親骨には、その第二接合部の枢接部に近い位置にピンロッドが設けられ、
前記先親骨には、その枢接ヘッドの末端枢接部に近い位置に長凹溝が形成され、
前記末端枢接部は、丸凸状に形成され、
開傘及び閉傘時には、丸凸状の末端枢接部とピンロッドの相互作用、及び長溝孔状の枢接部によって、スムーズに傘骨が開閉されることを特徴とする、折り畳み傘の傘骨構造。
【考案の詳細な説明】
【技術分野】
【０００１】
本考案は、傘に関し、特に折り畳み傘の傘骨構造に関する。
【背景技術】
【０００２】
周知のように、一般的な折傘の長所は、折り畳んだ後の体積が小さく携帯に便利なことである。しかし、従来の折傘は、傘骨構造の欠陥のため、開傘時に不便である。例えば、三段式折り畳み傘の傘骨構造は、開傘時において傘布が開いた後に傘骨が反り返ることがよくあり、その傘骨を手で直してからでないと傘を完全に開くことができない。この欠点に対し、業界では傘骨構造の改良がなされている。例えば、中国特許第ＣＮ２６４０２９４Ｙ号「多段式高速開傘」明細書には、前述した従来の傘骨の欠陥を改善するための構造が開示されている。しかし、この特許における傘骨構造には、構造が複雑で製造及び組み立てが難しいため、製造コストが大幅に上昇し経済効果に適わない、弾性連接骨のフック部が外部に露出しているため、傘布に引っかき傷がつきやすい、といった欠点が残されている。
【先行技術文献】
【特許文献】
【０００３】
【特許文献１】中国特許第ＣＮ２６４０２９４Ｙ号明細書
【考案の概要】
【考案が解決しようとする課題】
【０００４】
前述の傘骨構造の欠陥に鑑み、本考案は、開傘及び閉傘がスムーズであるとともに、傘布に引っかき傷がつく心配のない、折り畳み傘の傘骨構造を提供することを目的とする。
【課題を解決するための手段】
【０００５】
前述の目的を達成するため、本考案の折り畳み傘の傘骨構造は、受骨と、元親骨と、先親骨と、補助骨と、第一引線と、第二引線とからなる。前記受骨は、Ｕ字型の金属棒体をなすとともに、その一端は傘のロクロと枢接され、その他端は元親骨と枢接される。前記元親骨は、Ｕ字型の金属棒体をなすとともに、その一端には枢接部及び末端枢接部が設けられた第一接合部が形成され、且つ枢接部によって受骨と枢接され、その他端には枢接部及び支え部が設けられた第二接合部が形成され、その棒体における中央部近くには支え部が設けられる。前記先親骨は、丸型の棒体をなすとともに、その一端には長溝孔状の枢接部及び丸頭状の末端枢接部が設けられた枢接ヘッドが形成され、且つ長溝孔状の枢接部によって、元親骨における第二接合部の枢接部と枢接される。前記補助骨は、Ｕ字型の金属棒体をなすとともに、その一端は傘の上ロクロに枢接され、その他端は受骨の中央部に枢接され、その受骨との枢接位置の近くには枢接部が設けられる。前記第一引線は、細い丸型の金属棒体をなすとともに、その一端は補助骨の枢接部に枢接され、その他端は元親骨における第一接合部の末端枢接部に枢接される。前記第二引線は、細い丸型の金属棒体をなすとともに、その一端は受骨における元親骨との枢接位置の近くに枢接され、その他端は元親骨及び第二接合部の支え部を通った後に先親骨における枢接ヘッドの末端枢接部に枢接される。
【０００６】
本考案は以下の点において改善されている。元親骨には、その第二接合部の枢接部に近い位置にピンロッドが設けられる。先親骨には、その枢接ヘッドの末端枢接部に近い位置に長凹溝が形成される。末端枢接部は、丸凸状に形成される。開傘及び閉傘時には、丸凸状の末端枢接部とピンロッドの相互作用、及び長溝孔状の枢接部によって、スムーズに傘骨の開閉ができるとともに、二つの引線において外部に露出したフック部がないため、傘に引っかき傷がつくことを回避できる。
【図面の簡単な説明】
【０００７】
【図１】本考案の配設を示した概略図である。
【図２】本考案の傘骨の組み立てを示した斜視図である。
【図３】本考案の傘骨セットの動作を示した概略図である。
【図４】本考案の傘骨セットの動作を示した概略図である。
【図５】本考案の傘骨セットの動作を示した概略図である。
【考案を実施するための形態】
【０００８】
図１、図２を参照する。本考案の折り畳み傘の傘骨構造は、受骨１０と、元親骨２０と、先親骨３０と、補助骨４０と、第一引線５０と、第二引線６０とからなる。受骨１０は、Ｕ字型の金属棒体をなすとともに、その一端は傘のロクロと枢接され、その他端は元親骨２０と枢接される。元親骨２０は、Ｕ字型の金属棒体をなすとともに、その一端には枢接部２１１及び末端枢接部２１２が設けられた第一接合部２１が形成され、且つ枢接部２１１によって受骨１０と枢接され、その他端には枢接部２２１及び支え部２２２が設けられた第二接合部２２が形成され、その棒体における中央部近くには支え部２０１が設けられる。先親骨３０は、丸型の棒体をなすとともに、その一端には枢接ヘッド３１が形成される。枢接ヘッド３１には、長溝孔状の枢接部３１１及び丸頭状の末端枢接部３１２が設けられるとともに、長溝孔状の枢接部３１１によって、元親骨２０における第二接合部２２の枢接部２２１と枢接される。補助骨４０は、Ｕ字型の金属棒体をなすとともに、その一端は傘の上ロクロに枢接され、その他端は受骨１０の中央部に枢接され、その受骨１０との枢接位置の近くには枢接部４０１が設けられる。第一引線５０は、細い丸型の金属棒体をなすとともに、その一端は補助骨４０の枢接部４０１に枢接され、その他端は元親骨２０における第一接合部２１の末端枢接部２１２に枢接される。第二引線６０は、細い丸型の金属棒体をなすとともに、その一端は受骨１０における元親骨２０との枢接位置の近くに枢接され、その他端は元親骨２０の支え部２０１及び第二接合部２２の支え部２２２を通った後に先親骨３０における枢接ヘッド３１の末端枢接部３１２に枢接される。
【０００９】
図２から図５を参照する。本考案は以下の点において改善されている。元親骨２０には、その第二接合部２２の枢接部２２１に近い位置にピンロッド７０が穿設される。先親骨３０には、その枢接ヘッド３１の末端枢接部３１２に近い位置に長凹溝３１３が形成される。また、末端枢接部３１２は、丸凸状に形成される。開傘時には、元親骨２０が第一引線５０の作動を受けて展開し、第二引線６０が受骨１０の展開動作に引っ張られて移動し、それと同時に先親骨３０が引っ張られて開く。先親骨３０が展開する時、その枢接ヘッド３１における丸凸状の末端枢接部３１２は、元親骨２０における第二接合部２２のピンロッド７０と突っ張って支え合う状態になる（図３を参照）。丸凸状の末端枢接部３１２がピンロッド７０を通過した後、枢接ヘッド３１における長溝孔状の枢接部３１１によってピンロッド７０が枢接ヘッド３１の長凹溝３１３内に嵌ることで、元親骨２０と先親骨３０が瞬間的に真っ直ぐ伸びた状態になる（図４、図５を参照）。閉傘時には、同樣にピンロッド７０が長凹溝３１３から滑り出る動きによって、先親骨３０が瞬間的に上向きに折れた状態になる。以上のように、先親骨３０における枢接ヘッド３１の丸凸状の末端枢接部３１２とピンロッド７０の相互作用、及び長溝孔状の枢接部３１１によって、スムーズに傘骨の開閉ができるとともに、二つの引線において外部に露出したフック部がないため、傘に引っかき傷がつくことを回避できる。
【符号の説明】
【００１０】
１０   受骨
２０   元親骨
２０１ 支え部
２１   第一接合部
２１１ 枢接部
２１２ 末端枢接部
２２   第二接合部
２２１ 枢接部
２２２ 支え部
３０   先親骨
３１   枢接ヘッド
３１１ 枢接部
３１２ 末端枢接部
３１３ 長凹溝
４０   補助骨
４０１ 枢接部
５０   第一引線
６０   第二引線
７０   ピンロッド
【図１】
0003185575.tif 000003
【図２】
0003185575.tif 000004
【図３】
0003185575.tif 000005
【図４】
0003185575.tif 000006
【図５】
0003185575.tif 000007